(57)【要約】【課題】本発明は、足場の柱部材に着脱が容易であり、しかも、しっかりと固定でき、また、必要最小限の部材でもって足場の中間部及びコーナー部のどちらにも兼用可能な足場用の幅木取付金具を提供することを目的とする。                    【解決手段】本発明の足場用の幅木取付金具は、足場の少なくとも周縁開放部に沿って幅木を取り付けるための幅木取付金具において、該幅木取付金具は、金具本体と、前記金具本体の背面側に設けられ、足場を構成する柱部材の周面に着脱自在に取付けられる弾性変形可能な帯状挟持部材と、前記金具本体の両側に配置され、それぞれ外側及び上側に向けて開放した幅木差込溝を有する幅木差込部材とからなり、幅木差込部材は水平面内で回動自在なように金具本体に軸着されてなることを特徴としている。【選択図】    図２
2007132099.tif 000002
【特許請求の範囲】
【請求項１】
足場の少なくとも周縁開放部に沿って幅木を取り付けるための幅木取付金具において、該幅木取付金具は、金具本体と、前記金具本体の背面側に設けられ、足場を構成する柱部材の周面に着脱自在に取付けられる弾性変形可能な帯状挟持部材と、前記金具本体の両側に配置され、それぞれ外側及び上側に向けて開放した幅木差込溝を有する幅木差込部材とからなり、幅木差込部材は水平面内で回動自在なように金具本体に軸着されてなることを特徴とする足場用の幅木取付金具。
【請求項２】
帯状挟持部材は、平面視で略Ω形をしており、足場を構成する柱部材の周面を挟持するところの１対の円弧状部分からなる挟持部と、略コ字状をなし、略コ字状の開口部側が円弧状部分の挟持部に連続してなり、挟持部と金具本体を接続するとともに挟持部に適度の弾性力を付与する基部と、略Ω形の開放部分に設けられた拡開部材とからなることを特徴とする請求項１記載の足場用の幅木取付金具。
【請求項３】
帯状挟持部材の拡開部材に、帯状挟持部材を柱部材に増し締め可能な締付部材を設けることを特徴とする請求項２記載の足場用の幅木取付金具。    
【請求項４】
締付部材を、弾性のある金属線を略台形状に折曲げて形成するとともに、該締付部材の略台形状の短辺に相当する部分を略Ω形の帯状挟持部材の開放部分の一方の拡開部材に回動自在に軸着し、略台形状の傾斜部分に相当する両側の部分を略Ω形の帯状挟持部材の開放部分の他方の拡開部材の開口溝に弾性的に嵌合するようにすることを特徴とする請求項３記載の足場用の幅木取付金具。
【請求項５】
金具本体の両側に配置された幅木差込部材を、幅木差込溝同士のなす角度が平面視で略１８０°から略９０°の範囲で前方に回動可能とすることを特徴とする請求項１乃至請求項４のいずれか１項に記載の足場用の幅木取付金具。
【請求項６】
幅木差込部材の幅木差込溝の入口部分に外に向かって開いたテーパを形成することを特徴とする請求項１乃至請求項５のいずれか１項に記載の足場用の幅木取付金具。
【請求項７】
金具本体と帯状挟持部材とを金属製の板材から一体的に形成することを特徴とする請求項１乃至請求項６のいずれか１項に記載の足場用の幅木取付金具。
【請求項８】
幅木差込部材を金属製の板材から形成するとともに軸に係合する部分を板材の一部を延長した延長部を巻回して一体的に形成することを特徴とする請求項１乃至請求項７のいずれか１項に記載の足場用の幅木取付金具。
【発明の詳細な説明】
【技術分野】
【０００１】
本発明は、仮設足場等の足場における足場板の周縁開放部に沿って作業者の滑り止め及び工具の落下防止等のために用いられる幅木を取り付けるための足場用の幅木取付金具に関するものである。
【背景技術】
【０００２】
建築作業や土木作業時に組み立てられる仮設足場は、例えば図７に示すように、一対の脚柱２、２間に横桟３が水平に架け渡された多数の建枠１が並んで配置されるとともに、隣合う建枠１の横桟３、３間に足場板４が架け渡されて構成されている。
【０００３】
このような仮設足場においては、作業者の滑り止めや工具類の落下防止等のため、足場板４の周縁開放部に幅木５を取り付ける場合があった。
【０００４】
従来、幅木５を足場に取り付ける場合、幅木５を隣り合う建枠１の横桟３上に載置するようにして、足場板の周縁開放部の所定位置に配置し、その状態で幅木５を幅木取付金具６で固定するのが知られている（例えば、特許文献１参照。）。
【０００５】
この幅木取付金具６は、図８に示すように、正面方向に開放されたコ字型形状の幅木差込溝を有する金具本体７と、その背面側に設けられたＵ字状の一対の保持片からなる脚柱保持部材８と、金具本体７の両側にそれぞれコ字状の幅木差込溝を有する幅木差込部材９、９と、金具本体７の下方に設けられた位置止め部材１０とを備えている。そして、この幅木取付金具６を中間の脚柱２に用いる場合は、Ｕ字状の一対の保持片からなる脚柱保持部材８を脚柱２に取り付け、金具本体７の両側の幅木差込部材９、９のコ字状の幅木差込溝に幅木を差込んで固定するものであり、また、この幅木取付金具６を足場コーナーの脚柱２に用いる場合は、上記の場合と同様に、Ｕ字状の一対の保持片からなる脚柱保持部材８を脚柱２に取り付け、正面方向に開放された金具本体７の幅木差込溝と金具本体７の両側の幅木差込部材９、９の一方の幅木差込溝に幅木を差込んで固定するものである。
【特許文献１】特開平１０−１０２７６６号公報
【発明の開示】
【発明が解決しようとする課題】
【０００６】
しかしながら、上記従来の幅木取付金具６は、足場の脚柱２に取り付ける際、Ｕ字状の一対の保持片８の間に脚柱２を挟み込むようにして幅木取付金具６を移動させて保持片８間に脚柱２を挿入し、その後、一対の保持片８間付近を支点として９０゜回転させて、幅木取付金具６を横倒し状態から起立させ、脚柱２の所定の高さに移動させるという作業が必要である。幅木取付金具６は、強度も必要であるためその重量も結構あることから、その取り付け作業は作業者にとっては結構な負担となるものである。また、脚柱２に対して保持片８の締付け力がないため、幅木取付金具６が回動してしまうことから、金具本体７の下方の位置止め部材１０を設けることが必須である。
【０００７】
さらに、この幅木取付金具６は、足場の中間部及びコーナー部のどちらにも兼用できるようにするため３つの幅木差込部材を備えているが、中間部及びコーナー部のどちらに用いる場合であっても、通常、２つの幅木が取り付けられるに過ぎないから、常に１つの幅木差込部材が余ってしまう構造であることから、上記した位置止め部材１０を設ける必要と相俟って、コストが高くなるばかりか、重量が大きくなり、また、足場のコーナー部に用いた場合には１つの幅木差込部材が建枠から突出してしまうという問題もあった。  
【０００８】
本発明は、足場の柱部材に着脱が容易であり、しかも、しっかりと固定でき、また、必要最小限の部材でもって足場の中間部及びコーナー部のどちらにも兼用可能な足場用の幅木取付金具を提供することを目的とする。
【課題を解決するための手段】
【０００９】
上記目的を達成するため本発明の足場用の幅木取付金具は、足場の少なくとも周縁開放部に沿って幅木を取り付けるための幅木取付金具において、該幅木取付金具は、金具本体と、前記金具本体の背面側に設けられ、足場を構成する柱部材の周面に着脱自在に取付けられる弾性変形可能な帯状挟持部材と、前記金具本体の両側に配置され、それぞれ外側及び上側に向けて開放した幅木差込溝を有する幅木差込部材とからなり、幅木差込部材は水平面内で回動自在なように金具本体に軸着されてなることを特徴としている。
また、本発明の足場用の幅木取付金具は、帯状挟持部材が、平面視で略Ω形をしており、足場を構成する柱部材の周面を挟持するところの１対の円弧状部分からなる挟持部と、略コ字状をなし、略コ字状の開口部側が円弧状部分の挟持部に連続してなり、挟持部と金具本体を接続するとともに挟持部に適度の弾性力を付与する基部と、略Ω形の開放部分に設けられた拡開部材とからなることを特徴としている。
また、本発明の足場用の幅木取付金具は、帯状挟持部材の拡開部材に、帯状挟持部材を柱部材に増し締め可能な締付部材を設けることを特徴としている。    
また、本発明の足場用の幅木取付金具は、締付部材を、弾性のある金属線を略台形状に折曲げて形成するとともに、該締付部材の略台形状の短辺に相当する部分を略Ω形の帯状挟持部材の開放部分の一方の拡開部材に回動自在に軸着し、略台形状の傾斜部分に相当する両側の部分を略Ω形の帯状挟持部材の開放部分の他方の拡開部材の開口溝に弾性的に嵌合するようにすることを特徴としている。
また、本発明の足場用の幅木取付金具は、金具本体の両側に配置された幅木差込部材を、幅木差込溝同士のなす角度が平面視で略１８０°から略９０°の範囲で前方に回動可能とすることを特徴としている。
また、本発明の足場用の幅木取付金具は、幅木差込部材の幅木差込溝の入口部分に外に向かって開いたテーパを形成することを特徴としている。
また、本発明の足場用の幅木取付金具は、金具本体と帯状挟持部材とを金属製の板材から一体的に形成することを特徴としている。
また、本発明の足場用の幅木取付金具は、幅木差込部材を金属製の板材から形成するとともに軸に係合する部分を板材の一部を延長した延長部を巻回して一体的に形成することを特徴としている。
【発明の効果】
【００１０】
本発明は、以下のような優れた効果を奏する。
（１）足場を構成する柱部材の周面に着脱自在に取付けられる弾性変形可能な帯状挟持部材を備えることにより、従来の幅木取付金具に比べて装着、脱着の作業が簡単になる。また、帯状挟持部材を柱部材に増し締め可能な締付部材を設けることにより、幅木取付金具を確実に柱部材に固定することができる。
（２）金具本体の両側に配置された幅木差込部材を水平面内で回動自在なように金具本体に軸着することにより、一種類の幅木取付金具でもって幅木が一直線上に配置される場合及び直角に配置される場合の両方に兼用することが可能になるとともに従来の幅木取付金具に比べて構造を簡単にすることができる。また、構造簡単であるため、軽量化が図れるため、装着、脱着の作業負担を軽くすることができる。
【発明を実施するための最良の形態】
【００１１】
本発明に係る足場用の幅木取付金具を実施するための最良の形態を実施例に基づいて図面を参照して以下に説明する。  
【実施例】
【００１２】
図１は、本実施の形態に係る足場用の幅木取付金具を仮設足場等に用いた場合を説明する斜視図である。仮設足場は、多数の柱部材２、２を有し、左端の柱部材２から図の右方向に長く延びており、図の手前方向に所定の幅を有して設けられている。図１では、手前側の柱部材は省略されているが、足場の幅方向には、柱部材２間に横桟３が水平に架け渡され、多数の建枠１が所定の間隔に並んで配置されるとともに、隣合う建枠１の横桟３、３間に足場板４が架け渡されている。
【００１３】
建設工事で使用される建枠１には、法令に定めがあり、その幅、及び足場板４の幅も定められている。そのため、足場板４を工具等の落下防止のため間隙がないように配置すると、柱部材２と足場板４の周縁との間に若干の隙間が生じる。このように構成された仮設足場において、作業者の安全及び工具類の落下防止のため足場板４の周縁を覆うため一定の高さを有する幅木５を取り付けることが推奨されている。
【００１４】
ところで、図１に示すように、幅木５を取り付ける幅木取付金具２０は、幅木５が直線的に配置される場合と、コーナー部のように幅木５が直角に配置される場合との２通りの場合に使用されるものである。本実施の形態における幅木取付金具２０は、どちらの場合にも対応可能としたものであり、以下に詳細に説明する。
なお、コーナー部のように幅木５が直角に配置されるところに用いられる場合には、幅木取付金具２０は直交する２つの足場周縁から平面視で内側に４５゜傾けて設置される。
【００１５】
図２乃至図４は、本実施の形態における幅木取付金具２０を説明するためのものであって、図２は平面図、図３は正面図、図４は側面図である。なお、幅木差込部材の実線部分は、幅木５が直線的に配置される場合を、１点鎖線部分は、幅木５が直角に配置される場合を示している。
【００１６】
幅木取付金具２０は、主として、金具本体２１、金具本体２１の背面側に設けられ、足場を構成する柱部材２の周面に弾性変形により着脱自在に取付けられる帯状挟持部材２２、及び、金具本体２１に回動自在に軸着され、左右対称に配置された幅木差込部材２３、２３とからなっている。
【００１７】
金具本体２１は、図２に示すように例えば矩形をした板状部材２４からなり、この板状部材２４、２４は、図４に示すように帯状挟持部材２２の高さと同じ間隔で上下に設けられており、板状部材２４、２４で軸３９を支持している。軸３９としては、例えば、長軸ボルトのようなものが用いられ、端部にはナット４０が螺入されるようになっている。
【００１８】
帯状挟持部材２２は、平面視で略Ω形をしており、図１に示した足場の柱部材の周面を挟持するところの１対の円弧状部分からなる挟持部２６と、略コ字状をなし、略コ字状の開口部側が円弧状部分の挟持部２６に連続してなり、挟持部２６と金具本体２１を接続するとともに挟持部２６に適度の弾性力を付与する基部２５と、略Ω形の開放部分に設けられた拡開部材２７、２８とから構成されており、弾性を有する金属製の板から一体的に形成されている。円弧状部分の挟持部２６の内径は、柱部材２の外径より若干小さめに、また、挟持部２６の幅（高さ）は柱部材に外径の約１．０〜１．５倍程度に、さらに、略Ω形の開放部分の開放寸法Ｌは、柱部材２の外径寸法の約１／３程度に形成されるものである。
拡開部材２７、２８は、それぞれ挟持部２６から外側に傾斜して設けられ、帯状挟持部材２２を柱部材２に押しつけた場合、開放部分を拡開させ、柱部材２に円弧状部分の挟持部２６が嵌合し易くする。また、図４に示すように、基部２５から円弧状部分の挟持部２６にかけて、その外面の上下にリブ４４、４４を形成し、挟持部２６の弾性力を増大させるようにしてもよい。
【００１９】
図２において、金具本体２１における帯状挟持部材２２の基部２５と軸との間の寸法Ｈ１及び帯状挟持部材２２の基部２５の長さ寸法Ｈ２は、柱部材２と足場板４の周縁との位置関係に基づいて、適宜、設計的に決められるものである。
また、図３及び図４に示すように、帯状挟持部材２２は、柱部材２及び横桟３とを結合する図示しない金具を避ける意味で、その底部が足場板４の上面より約６ｃｍ程度上方に位置するように幅木差込部材２３との位置関係が決められている。
【００２０】
なお、部品点数を減らす意味で、必要に応じて、金具本体２１と帯状挟持部材２２とを弾性を有する金属製の板から一体的に形成することも可能である。
【００２１】
帯状挟持部材２２を柱部材２に確実に締め付けるようにするため、必要に応じて、締付部材２９を設けるとよい。    
この締付部材２９は、図２、図３及び図５に示すように、弾性のある金属線を略台形状に折曲げ形成するとともに、該締付部材の略台形状の短辺に相当する部分３０を、略Ω形の帯状挟持部材２２の開放部分の一方の拡開部材２７の中央部分を折り曲げて形成した孔３１に回動自在に軸着し、また、略台形状の傾斜部分に相当する両側の部分３２、３２を前記開放部分の他方の拡開部材２８の開口溝３３、３３に弾性的にそれぞれ嵌合するように形成されている。図２及び図３に示す開放状態に位置する締付部材２９を、図５に示す締付け状態まで回動させるとき、締付部材２９の傾斜部分に相当する両側の部分３２、３２の外側幅寸法と拡開部材２８の２つの開口溝３３、３３の最大幅寸法が合致する位置まで基部２５及び挟持部２６とを締め付ける方向に変位させ、両者の寸法が合致したところで締付部材２９の傾斜部分に相当する両側の部分３２、３２が拡開部材２８の２つの開口溝３３、３３に嵌合するように設計しておくことにより、帯状挟持部材２２を柱部材２に増し締めし、確実に締め付けることができるものである。開口溝３３、３３のそれぞれの外側に半円状の溝４５、４５を形成しておき、締付部材２９の傾斜部分に相当する両側の部分３２、３２の弾性による幅方向への復元力により両側の部分３２、３２が溝４５、４５に嵌入するようにしておくことにより、締付部材２９の締め付け状態を確実に維持できる。また、締め付け状態を解除する場合は、両側の部分３２、３２を内側に押せば両側の部分３２、３２が溝４５、４５から抜け出すので、解除できる。
【００２２】
幅木差込部材２３、２３は、金具本体２１の左右両側に対称的に配置されているものであり、水平面内で回動自在なように金具本体２１の軸３９に軸着され、幅木５の端部を差し込んで固定するためそれぞれ外側（本明細書においては金具本体と反対方向を外側と呼ぶ。）及び上側に向けて開放した幅木差込溝３４を有している。幅木差込溝３４の高さは幅木５の幅とほぼ同じである。
幅木差込部材２３は、金属製の板を曲げ加工及び溶接により形成されるものであり、図６（幅木差込部材２３、２３を後側から見た斜視図）から明らかなように、平板状の前側部材３５、く字状の後側部材３６及び底面部材３７からなっている。幅木差込部材２３、２３のそれぞれの前側部材３５、３５の内側、すなわち、金具本体側には、金具本体２１に支持された軸３９に嵌合するための軸嵌合部３８が一体的に巻回されて形成されており、両者の軸嵌合部３８は互いに軸方向にずれている。幅木差込部材２３、２３が安易に回動するのを防止するため、軸嵌合部３８内面と軸３９外面との嵌め合いを多少きつく設定しておいてもよい。
なお、幅木差込溝３４の上側開口部及び外側開口部の口部に外に開いたテーパ等を形成して幅木５が挿入し易いようにしておくとよい。図２及び図４では、外側開口部の口部にのみ外に開いたテーパを形成した状態を示している。
【００２３】
この幅木差込部材２３は、足場板４の上面に載置するようにして設置されるものであり、図３及び図４に示すように、帯状挟持部材２２より縦に長い形状を有し、帯状挟持部材２２の底面より下方に延びた位置関係で金具本体２１の軸３９に軸着されるものである。
【００２４】
図２において、両側の幅木差込部材２３、２３の実線部分は、幅木５が直線的に配置される場合を、１点鎖線部分部分は、幅木５が直角に配置される場合を示しているものであるが、両側の幅木差込部材２３、２３の幅木差込溝３４、３４同士のなす角度は、最大で略１８０゜、最小で前側に略９０゜となるように形成されている。すなわち、幅木差込部材２３、２３が、図２の実線で示された略１８０゜の位置から更に後ろ側に開こうとしても、後側部材３６が帯状挟持部材２２の基部２５に当接してそれ以上開くことはできない。また、図２の１点鎖線で示す略９０゜の位置から更に前側に閉じようとしても、前側部材３５が金具本体２１の板状部材２４に当接してそれ以上閉じることはできない。
【００２５】
幅木差込部材２３、２３は、幅木５が差し込まれた状態ではその角度から移動するものではないが、安全のため幅木差込溝３４、３４同士のなす角度が略９０゜の位置から広がる方向の移動、すなわち、足場板周縁の外側方向への移動を防止するため、図２に示すような安全ストッパー４１を別途備えておいてもよい。この安全ストッパー４１は、金属製の棒状部材をコ字状に折り曲げて形成するものであり、内側幅寸法Ｂは、幅木差込溝３４、３４同士のなす角度が略９０゜の位置において幅木差込溝３４、３４の前側角部４２、４２を結ぶ長さに形成される。使用に当たっては、幅木差込溝３４、３４の上方から安全ストッパー４１の足４３、４３を幅木差込溝３４、３４の角部４２、４２に落とし込むようにして差し込むものである。
【００２６】
なお、最大角度を「略」としているのは仮設足場の構築状況に応じて柔軟に対応できるようにするためであり、また、最小角度を「略」としているのは、１種類の幅木取付金具で幅木５が直線的に配置される場合と、直角に配置される場合との両方に対応できるようにするためである。
【００２７】
本実施の形態において、以上の構成の幅木取付金具２０を用いて、仮設足場に幅木５を取付けする要領を以下に説明する。
【００２８】
図１において、幅木５としては、隣合う建枠１の一対の柱部材２、２間の寸法に対応する長さの側縁幅木５と、建枠１の幅方向の一対の柱部材２、２間の寸法に対応する長さの幅木５が使用される。
【００２９】
幅木５を組み付ける場合、まず始めに、幅木端部を固定しようとする位置の柱部材２に、それぞれ本実施形態の幅木取付金具２０を取り付ける。
幅木取付金具２０を取り付けるに当たっては、図２に実線で示すように、帯状挟持部材２２の締付部材２９を開放した状態で帯状挟持部材２２の略Ω形の開放部分に設けられた拡開部材２７、２８を柱部材２に押しつけ、開放部分を開かせて円弧状の挟持部２６を柱部材２に嵌合させる。次に、幅木差込部材２３、２３の幅木差込溝３４が幅木５の設置方向とほぼ平行になるように柱部材２に対して幅木取付金具２０回動させるととともに、幅木差込部材２３、２３の底面を足場部材４の上面に載置するまで下降させる。
【００３０】
幅木取付金具２０を足場コーナー部の柱部材２に組み付ける場合は、柱部材２を基点として金具本体２１が平面視で足場周縁から内側に約４５゜を向くように回動し、さらに、幅木差込部材２３、２３のなす角度が約９０゜になるように幅木差込部材２３、２３を内側に回動させ、各幅木差込溝３４が幅木５の設置方向とほぼ平行になるように設定する。
【００３１】
この状態において、帯状挟持部材２２の締付部材２９を締め付け方向に回動して、締付部材２９の傾斜部分に相当する両側の部分３２、３２の外側幅寸法と拡開部材２８の２つの開口溝３３、３３の最大幅寸法が合致する位置まで基部２５及び挟持部２６とを締め付ける方向に変位させながら図５に示す締付け状態まで回動させ、締付部材２９の傾斜部分に相当する両側の部分３２、３２を拡開部材２８の２つの開口溝３３、３３に嵌合させる。このため、帯状挟持部材２２を柱部材２に確実に増し締め・固定することができる。
【００３２】
次に、幅木５の両端を、対応する幅木取付金具２０における幅木差込溝３４、３４内に、それぞれ、側方あるいは上方から差し込んで幅木５を足場板４の周縁に沿って固定する。
幅木取付金具２０を足場コーナー部の柱部材２に組み付ける場合は、安全のため、幅木差込部材２３、２３のなす角度が約９０゜より開かないように安全ストッパー４１を幅木差込溝３４、３４の角部４２、４２に差し込む。
【図面の簡単な説明】
【００３３】
【図１】本実施の形態に係る足場用の幅木取付金具を仮設足場等に用いた場合を説明する斜視図である。
【図２】本実施の形態における足場用の幅木取付金具を説明するための平面図である。
【図３】本実施の形態における足場用の幅木取付金具を説明するための正面図である。
【図４】本実施の形態における足場用の幅木取付金具を説明するための側面図である。
【図５】締付部材の締め付け状態を説明するための要部概略図であり、（ａ）は平面図、（ｂ）は正面図である。
【図６】幅木差込部材を後側から見た斜視図である。
【図７】従来の幅木取付状態を説明するための全体斜視図である。
【図８】従来の幅木取付金具を説明するための斜視図である。
【符号の説明】
【００３４】
１    建枠  
２    柱部材  
３    横桟  
４    足場板  
５    幅木  
２０  幅木取付金具  
２１  金具本体    
２２   帯状挟持部材   
２３   幅木差込部材
２４   板状部材
２５   基部 
２６   挟持部 
２７   拡開部材 
２８   拡開部材 
２９   締付部材 
３０   締付部材の略台形状の短辺に相当する部分 
３１   拡開部材の中央部分を折り曲げて形成した孔 
３２   締付部材の略台形状の傾斜部分に相当する両側の部分 
３３   開口溝 
３４   幅木差込溝 
３５   平板状の前側部材
３６   く字状の後側部材
３７    底面部材
３８    軸嵌合部
３９    軸
４０    ナット
４１    安全ストッパー
４２    幅木差込溝の角部
４３    ストッパーの足
４４    リブ
４５    半円状の溝
【図１】
2007132099.tif 000003
【図２】
2007132099.tif 000004
【図３】
2007132099.tif 000005
【図４】
2007132099.tif 000006
【図５】
2007132099.tif 000007
【図６】
2007132099.tif 000008
【図７】
2007132099.tif 000009
【図８】
2007132099.tif 000010